(57)【要約】【課題】電池側コネクタの本体側コネクタへの差し込み不足を解消することが可能な警報器を得る。【解決手段】設置面に固定されるベース１０と、ベース１０に押し当てた状態で回動されることによりベース１０に嵌合される警報器本体２０とを備え、警報器本体２０に収納される電池に配線接続された電池側コネクタ３２を、警報器本体２０に設けた本体側コネクタ２８に差し込んで接続することにより、内部回路に電源供給が行われる火災警報器１において、ベース１０は、本体側コネクタ２８への差し込みが不十分な状態の電池側コネクタ３２を、警報器本体２０が回動されることにより接続適正位置まで押圧して本体側コネクタ２８に接続させる押圧部１７を有する。【選択図】図１
2014032509.tif 000002
【特許請求の範囲】
【請求項１】
設置面に固定されるベースと、前記ベースに押し当てた状態で回動されることにより前記ベースに嵌合される警報器本体とを備え、前記警報器本体に収納される電池に配線接続された電池側コネクタを、前記警報器本体に設けた本体側コネクタに差し込んで接続することにより、内部回路に電源供給が行われる警報器において、
前記ベースは、前記本体側コネクタへの差し込みが不十分な状態の前記電池側コネクタを、前記警報器本体が回動されることにより接続適正位置まで押圧して前記本体側コネクタに接続させる押圧部を有することを特徴とする警報器。
【請求項２】
前記押圧部は、前記ベースにおいて前記本体側コネクタと対向する対向面上に設けられ、前記対向面から突出するように前記ベースに一体形成された突出部であることを特徴とする請求項１記載の警報器。
【請求項３】
前記押圧部は、前記ベースにおいて前記本体側コネクタと対向する対向面上に設けられた板バネであることを特徴とする請求項１記載の警報器。
【請求項４】
前記押圧部において前記電池側コネクタを押圧する押圧面は、前記回動方向に向かうに連れて前記本体側コネクタとの距離が短くなる湾曲面又は傾斜面で構成されることを特徴とする請求項１乃至請求項３の何れか一項に記載の警報器。
【請求項５】
前記警報器本体における前記電池の収納位置を、前記本体側コネクタから見て前記回動方向と反対側としたことを特徴とする請求項１乃至請求項４の何れか一項に記載の警報器。
【請求項６】
前記警報器本体に設けた電池収納部に前記電池を収納し、且つ前記電池側コネクタを前記本体側コネクタに差し込んだ状態において、前記電池と前記電池側コネクタとを繋ぐリードが撓まないように、前記電池収納部と前記本体側コネクタとの距離が調整されていることを特徴とする請求項１乃至請求項５の何れか一項に記載の警報器。
【請求項７】
前記電池側コネクタを前記本体側コネクタに差し込んだ状態において、前記電池側コネクタの前記押圧部との対向面が、前記回動方向に向かうに連れて前記ベースとは反対側に傾斜するように構成されていることを特徴とする請求項１乃至請求項６の何れか一項に記載の警報器。
【請求項８】
前記警報器本体が、前記回動方向に複数の嵌合位置で前記ベースに嵌合可能に構成され、前記押圧部は、前記嵌合位置の数と同数設けられていることを特徴とする請求項１乃至請求項７の何れか一項に記載の警報器。
【発明の詳細な説明】
【技術分野】
【０００１】
本発明は、電池から電源が供給される警報器に関する。
【背景技術】
【０００２】
従来の警報器の一例としての火災警報器には、電池に配線接続された電池側コネクタを、警報器本体に設けられた本体側コネクタに接続することにより、内部回路に電源供給が開始されるものがある（例えば、特許文献１参照）。
【先行技術文献】
【特許文献】
【０００３】
【特許文献１】特許第４９５３４４６号公報（段落００１４〜００１６、図２）
【発明の概要】
【発明が解決しようとする課題】
【０００４】
上記特許文献１の火災警報器では、電池側コネクタを本体側コネクタの接続適正位置まで十分に差し込むことで両コネクタの接続が確保される。しかしながら、設置者によっては、電池側コネクタを本体側コネクタに十分に差し込まず、差し込み不足のまま火災警報器の設置を終えてしまう場合がある。この場合、差し込み不足を要因とした不都合が発生する。特許文献１では、この点について考慮されておらず、改善の余地があった。
【０００５】
本発明は、上記のような課題を解決するためになされたものであり、電池側コネクタの本体側コネクタへの差し込み不足を解消することが可能な警報器を得ることを目的とする。
【課題を解決するための手段】
【０００６】
本発明に係る警報器は、設置面に固定されるベースと、ベースに押し当てた状態で回動されることによりベースに嵌合される警報器本体とを備え、警報器本体に収納される電池に配線接続された電池側コネクタを、警報器本体に設けた本体側コネクタに差し込んで接続することにより、内部回路に電源供給が行われる警報器において、ベースは、本体側コネクタへの差し込みが不十分な状態の電池側コネクタを、警報器本体が回動されることにより接続適正位置まで押圧して本体側コネクタに接続させる押圧部を有するものである。
【発明の効果】
【０００７】
本発明によれば、警報器本体をベースに取り付ける際の回動動作により、本体側コネクタへの差し込みが不十分な状態の電池側コネクタを、押圧部により接続適正位置まで押圧して本体側コネクタに接続させることができる。よって、電池側コネクタの本体側コネクタへの差し込み不足を解消することができる。
【図面の簡単な説明】
【０００８】
【図１】本発明の実施の形態に係る火災警報器の分解斜視図である。
【図２】図１の火災警報器の警報器本体とベースとの嵌合部分を図１の矢印Ａ方向から見た拡大図である。
【図３】図１の電池側コネクタと本体側コネクタとの差し込み部分の拡大斜視図である。
【図４】図１の電池側コネクタを本体側コネクタに差し込む際の動作を示す図である。
【図５】図１の変形例１を示す図である。
【図６】図１の変形例２を示す図である。
【図７】図１の変形例３を示す図である。
【図８】図１の変形例４を示す図である。
【図９】図１の変形例５を示す図である。
【図１０】図９の電池側コネクタと本体側コネクタとの差し込み部分の拡大斜視図である。
【発明を実施するための形態】
【０００９】
図１は、本発明の実施の形態に係る火災警報器の分解斜視図である。なお、図１及び後述の各図において、同一の符号を付したものは、同一又はこれに相当するものであり、これは明細書の全文において共通している。更に、明細書全文に表れている構成要素の形態は、あくまで例示であってこれらの記載に限定されるものではない。
【００１０】
警報器の一例としての火災警報器１は、ベース１０とベース１０に着脱自在に取り付けられる警報器本体２０とを備える。ベース１０は、火災警報器１を取り付ける天井や壁等の設置面に、ねじ等の取り付け部材で取り付けられる。ベース１０は、有底の高さが低い円筒であり、円板状の底板１１と円筒状の側板１２とを有する。底板１１において警報器本体２０と対向する対向面１１ａには、側板１２と同心円状のリブ１３が、側板１２の内側で略一周に亘って突出するように設けられている。リブ１３において、ベース１０の中心を挟んで対向する２箇所には、外方に向けて突出する被嵌合部１４、１５が設けられている。底板１１には更に、ねじを通す穴１６が開けられている。
【００１１】
警報器本体２０は、円板状の中板２１とリブ２２と側板２３とを有している。リブ２２は、警報器本体２０をベース１０に取り付けた状態で、ベース１０側のリブ１３の外周に位置するように中板２１の外周部に立設して設けられている。また、リブ２２にはベース１０の被嵌合部１４、１５に嵌合される２つの逆Ｌ字状の嵌合部２４、２５が内方に向けて突出して設けられている。この嵌合部２４、２５も警報器本体２０の中心を挟んで対向する位置に設けられている。そして、ベース１０に警報器本体２０を取り付ける際には、警報器本体２０をベース１０に重ね、その状態で警報器本体２０を図１の矢印方向に回動させ、嵌合部２４、２５を被嵌合部１４、１５に嵌合させる。
【００１２】
図２は、図１の火災警報器１の警報器本体２０とベース１０との嵌合部分を図１の矢印Ａ方向から見た拡大図である。
警報器本体２０をベース１０に対して相対的に一定方向に回動させる、例えば、警報器本体２０をベース１０に対して正面視で右回りに回動させることにより、警報器本体２０の嵌合部２４、２５の回動方向の先端がベース１０の被嵌合部１４、１５に当たって止まり、警報器本体２０がベース１０に嵌合される。また、本実施の形態の火災警報器１は、以下に説明するように、警報器本体２０を、回動方向にある２つの嵌合位置でベース１０に嵌合可能となっている。
【００１３】
すなわち、被嵌合部１４と嵌合部２４とが嵌合すると共に被嵌合部１５と嵌合部２５とが嵌合する嵌合位置Ｘと、その嵌合位置Ｘから火災警報器１の中心を中心として１８０°ずれて、被嵌合部１４と嵌合部２５とが嵌合すると共に被嵌合部１５と嵌合部２４とが嵌合する嵌合位置Ｙとの２つの嵌合位置で嵌合可能である。このように２つの嵌合位置で嵌合可能な構造としたことで、設置者は最大でも１８０°の回動動作により、警報器本体２０をベース１０に取り付けることができ、火災警報器１の取り付け性を容易としている。なお、ここでは嵌合位置を２つとしたが、例えば、１２０°間隔で被嵌合部及び嵌合部を設けて嵌合位置を３つとする等、更に複数としてもよい。
【００１４】
また、警報器本体２０の中板２１には、電池３０が収納される電池収納部２６と、電池３０を電池収納部２６に取り付けたときに電池３０が収納位置から外れないように電池３０を保持する保持部材２７と、本体側コネクタ２８とが設けられている。警報器本体２０内には基板４０（後述の図４参照）が設けられており、基板４０には、電池３０から電源が供給されて火災時に警報を発したり、電池切れの際に電池切れ警報を発したりする内部回路（図示せず）や、本体側コネクタ２８等が実装されている。そして、図３（ａ）に示すように、電池３０に繋がれたリード３１に設けられた電池側コネクタ３２が、本体側コネクタ２８に接続適正位置まで差し込まれることで、電池３０からの電源が内部回路に供給され、火災警報器１が稼動して監視状態に入る。図３（ｂ）は、電池側コネクタ３２が本体側コネクタ２８の接続適正位置まで差し込まれた状態を示している。
【００１５】
ここで、電池側コネクタ３２の本体側コネクタ２８への差し込みが不十分であると、無通電状態になる場合や、コネクタ部分での接触抵抗が上昇し、電池切れではないのにも関わらず、電池切れ警報を発する場合がある。そこで、本実施の形態では、電池側コネクタ３２の本体側コネクタ２８への差し込みが不十分な状態であっても、警報器本体２０をベース１０に取り付ける際の回動動作により、差し込みが十分な状態に正すことが可能な構造としている。
【００１６】
以下、この構造について詳細に説明する。まず、ベース１０の警報器本体２０との対向面１１ａに、警報器本体２０が回動されることにより電池側コネクタ３２を押圧可能な押圧部１７が突出形成されている。押圧部１７は、平面的に見て本体側コネクタ２８の回動軌跡と少なくとも一部が重なるように設けられている。
【００１７】
また、押圧部１７において電池側コネクタ３２を押圧する押圧面１７ａは、回動方向に向かうに連れて本体側コネクタ２８との距離が短くなる傾斜面となっている。言い換えると、押圧面１７ａは、回動方向に向かうに連れて高くなっていくリブ部材である。そして、押圧部１７の最大の高さは、ベース１０と警報器本体２０とを嵌合した場合における底板１１と電池側コネクタ３２との間の長さよりも長く形成される（図４（ｃ）参照）。これにより、電池側コネクタ３２を本体側コネクタ２８に適正位置まで差し込むことができ、電池側コネクタ３２と本体側コネクタ２８とを確実に接続することが可能となる。
【００１８】
なお、本実施の形態では、上述したように警報器本体２０をベース１０に対して２つの嵌合位置で嵌合可能な構造であるため、そのどちらの嵌合位置で嵌合された場合にも電池側コネクタ３２を押圧できるように、嵌合位置数と同数の２箇所に押圧部１７が設けられている。
【００１９】
図４は、図１の電池側コネクタを本体側コネクタに差し込む際の動作を示す図である。なお、図４の（ｂ’）、（ｃ’）は、その上の図４（ｂ）、（ｃ）における電池側コネクタ３２と押圧部１７との位置関係を示した平面図である。
まず、（ａ）電池側コネクタ３２を本体側コネクタ２８に差し込む。そして、（ｂ）に示すように警報器本体２０をベース１０に対して矢印方向に回動させる。この際、（ｂ）に示すように電池側コネクタ３２の本体側コネクタ２８への差し込みが不十分な状態であると、電池側コネクタ３２における押圧部１７側の端辺３２ａの一部が、押圧部１７の押圧面１７ａ上を当接しながら摺動することによって下方に押し下げられる。そして、警報器本体２０の嵌合部２４、２５とベース１０の被嵌合部１４、１５との嵌合が完了した状態で、（ｃ）に示すように、電池側コネクタ３２が本体側コネクタ２８における接続適正位置まで正しく差し込まれた状態となる。なお、押圧部１７の押圧面１７ａは、図１では、警報器本体２０側に凸の湾曲面であるように見えるが、実際には、図４に示したように直線状の傾斜面となっている。
【００２０】
以上説明したように、本実施の形態によれば、ベース１０に対して警報器本体２０を回動させて嵌合することにより、本体側コネクタ２８への差し込みが不十分な状態の電池側コネクタ３２を、押圧部１７により接続適正位置まで押圧して本体側コネクタ２８に接続させることができる。これにより、火災警報器１の設置者の手間を取らせることなく、ベース１０に警報器本体２０を回して嵌合する従来一般に行われている取り付け動作を行うだけで、自然と電池側コネクタ３２の差し込み不足を解消することができる。
【００２１】
また、押圧部１７の押圧面１７ａを、回動方向に向かうに連れて本体側コネクタ２８との距離が短くなる傾斜面としたので、電池側コネクタ３２を本体側コネクタ２８側に向けて押圧する動作をスムーズに行うことができる。
【００２２】
また、押圧部１７を嵌合位置数と同数設けたので、どの嵌合位置で嵌合されても押圧部１７による電池側コネクタ３２の押圧動作を機能させることができる。
【００２３】
また、警報器本体２０をベース１０に嵌合した取り付け状態では、電池側コネクタ３２が押圧部１７によって押し込まれた状態で保持される。よって、例えば地震等が発生しても、電池側コネクタ３２が本体側コネクタ２８から抜けたり、差し込み状態が不十分な状態となったりする等の不都合を防止できる。
【００２４】
なお、火災警報器１は、図１に示した構造に限定されず、以下のような変形を加えても良い。この場合も同様の作用効果を得ることができる。
【００２５】
（変形例１）
図１では、押圧部１７を、ベース１０から突出するようにベース１０に一体形成された突出部で構成したが、図５に示すように板バネ１８としてもよい。板バネ１８はベース１０にねじ固定すればよい。この場合、電池側コネクタ３２を押圧する力が板バネ１８の弾性力によって調整されるため、必要以上に押し込みすぎることを抑制できる。
【００２６】
（変形例２）
図１では、押圧部１７の押圧面１７ａを傾斜面としたが、図６に示すように、回動方向に向かうに連れて本体側コネクタ２８との距離が短くなり、且つベース１０側に湾曲する湾曲面としてもよい。このような構造とすることで、警報器本体２０をベース１０に対して回動させるときに、押圧部１７は、回動初期では緩やかに高さが上がっていき、回動終期では急激に高さが上がる。このため、電池側コネクタ３２が押圧部１７の押圧面１７ａ上を摺動する際の動作を滑らかにすることができる。
【００２７】
（変形例３）
図１では、電池収納部２６を、本体側コネクタ２８から見て回動方向側に設けた例を示したが、回動方向と反対方向側に設けてもよい。この場合、図７に示すように、リード３１が電池側コネクタ３２の回動方向（図７の矢印方向）と反対側に位置する状態となる。つまり、警報器本体２０をベース１０に対して回動させる場合において、電池３０又は電池収納部２６と押圧部１７との間に、本体側コネクタ２８又は電池側コネクタ３２が位置する。このため、警報器本体２０を回動させて電池側コネクタ３２が押圧部１７の押圧面１７ａを摺動する際にリード３１が邪魔になることがない。
【００２８】
（変形例４）
電池３０を電池収納部２６に収納し、電池側コネクタ３２を本体側コネクタ２８に差し込んだ状態においてリード３１が撓まない程度に、図８に示すように、電池収納部２６と本体側コネクタ２８との距離を離した構成としてもよい。言い換えると、リード３１の長さが、電池収納部２６と本体側コネクタ２８の最短距離と略等しくなっている。この場合も、警報器本体２０を回動させて電池側コネクタ３２が押圧部１７の押圧面１７ａを摺動する際にリード３１が邪魔になることがない。
【００２９】
（変形例５）
電池側コネクタ３２は、２本のリード３１が隣り合う方向に沿った長手方向と長手方向に直交する短手方向とを有し、図１では、本体側コネクタ２８に差し込まれた状態の電池側コネクタ３２が、その長手方向が回動方向に対向するように構成されている。しかし、この配置に限らず、図９に示すように、電池側コネクタ３２の短手方向が回動方向に対向するように構成してもよい。図１０（ａ）、（ｂ）は、この場合の差し込み前後の状態を示している。
【００３０】
（変形例６）
電池側コネクタ３２を本体側コネクタ２８に差し込んだ状態において、電池側コネクタ３２の押圧部１７との対向面が、回動方向に向かうに連れてベース１０とは反対側に傾斜するように構成してもよい。言い換えれば、電池側コネクタ３２の押圧部１７との対向面が、回動方向に向かうに連れてベース１０とは距離が離れていく傾斜となるような構成にしてもよい。具体的には、基板４０を警報器本体２０内で傾けて配置し、本体側コネクタ２８を傾けた構成とすることで実現できる。なお、この傾きは、押圧部１７の押圧面１７ａの傾斜に沿う傾きとすることが好ましい。このような構造とすることで、本体側コネクタ２８に差し込まれた電池側コネクタ３２全体が傾いた状態となり、押圧面１７ａとの接触部分が面接触となって、より摺動動作を滑らかにすることが期待できる。
【００３１】
なお、上記では、別々の変形例として説明したが、これらを全部又は一部を組み合わせた構成としてもよい。
【００３２】
また、本実施の形態及び変形例では、警報器として、火災警報器１を例に挙げて説明したが、ガス漏れ警報器等、その他の警報器でもよい。
【符号の説明】
【００３３】
１  火災警報器、１０  ベース、１１  底板、１１ａ  対向面、１２  側板、１３  リブ、１４  被嵌合部、１５  被嵌合部、１６  穴、１７  押圧部、１７ａ  押圧面、１８  板バネ、２０  警報器本体、２１  中板、２２  リブ、２３  側板、２４  嵌合部、２５  嵌合部、２６  電池収納部、２７  保持部材、２８  本体側コネクタ、３０  電池、３１  リード、３２  電池側コネクタ、３２ａ  端辺、４０  基板。
【図１】
2014032509.tif 000003
【図２】
2014032509.tif 000004
【図３】
2014032509.tif 000005
【図４】
2014032509.tif 000006
【図５】
2014032509.tif 000007
【図６】
2014032509.tif 000008
【図７】
2014032509.tif 000009
【図８】
2014032509.tif 000010
【図９】
2014032509.tif 000011
【図１０】
2014032509.tif 000012